(57)【特許請求の範囲】
【請求項１】
原稿画像を読み取る読取手段と、ローカルネットワークに接続する接続手段と、前記読取手段からの画像データを前記ローカルネットワークに接続されている少なくとも電話回線を介して通信する通信機能と画像データをファイリングするファイル機能を有するデータ処理装置に、前記通信機能で送信させるための宛先情報及び前記ファイリング機能でファイリングさせるためのファイル名とともに前記接続手段を介して送信する送信手段とを有することを特徴とする画像読取装置。
【請求項２】
前記通信機能はファクシミリ通信機能であり、前記宛先情報はファクシミリ送信するための電話番号であることを特徴とする請求項１に記載の画像読取装置。
【請求項３】
前記通信機能及びファイル機能は両方をあるいは一方を指示可能であることを特徴とする請求項１または２に記載の画像読取装置。
【請求項４】
さらに、前記読取手段で原稿画像を読み取る際の読取パラメータを指定する指定手段を有することを特徴とする請求項１乃至３のいずれかに記載の画像読取装置。
【請求項５】
ローカルネットワークに接続可能な画像読取装置の制御方法であって、原稿画像を読み取り画像データを発生する読取工程と、前記ローカルネットワークに接続されている少なくとも電話回線を介して通信する通信機能と画像データをファイリングするファイル機能を有するデータ処理装置に、前記通信機能で送信させるための宛先情報及び前記ファイリング機能でファイリングさせるためのファイル名とともに前記接続手段を介して送信する送信工程とを有することを特徴とする画像読取装置の制御方法。
【発明の詳細な説明】
【０００１】
【発明の属する技術分野】
本発明は、他の機器とローカルネットワークを介して接続される画像読取装置及びその制御方法に関する。
【０００２】
【従来の技術】
デジタルスキャナおよびデジタルプリンタからなるデジタルコピーは単独でのコピー機能のみならず、ファクシミリ機能を持つように構成されたものもあり、この様なデジタルコピーにおいて、他の機器との画像データの転送としてファクシミリ機能での送受信、またはフロッピー（Ｒ）などのメディアを用いたファイルの転送、また、ローカルネットワーク接続アダプターなどを介してのローカルネットワークへのデータ転送などが行われていた。
【０００３】
【発明が解決しようとしている課題】
スキャナで原稿画像を読み取って得た画像データをファクシミリ等によって電話回線を介して送信したい場合にはデジタルコピー自体がファクシミリ通信機能を有する必要があり、また多くのユーザが使用するためにはファクシミリ機能を有するデジタルコピーを複数設置する必要があり、システムのコストが高くなってしまうものであった。
【０００４】
【課題を解決するための手段】
本発明は以上の点に鑑みてなされたもので、事務システムを低コストで実現することを目的とし、詳しくは、原稿画像を読み取る読取手段と、ローカルネットワークに接続する接続手段と、前記読取手段からの画像データを前記ローカルネットワークに接続されている少なくとも電話回線を介して通信する通信機能と画像データをファイリングするファイル機能を有するデータ処理装置に、前記通信機能で送信させるための宛先情報及び前記ファイリング機能でファイリングさせるためのファイル名とともに前記接続手段を介して送信する送信手段とを有する画像読取装置を提供するものである。
【０００５】
【発明の実施の形態】
以下、本発明を好ましい実施形態構成を用いて説明する。
【０００６】
図１３は本発明による画像処理システムの構成例を示す図である。１３１、１３２は夫々原稿画像の読み取りを行うスキャナ及び画像の記録を行うプリンタ、そして画像の送受信機能を備えたデジタルコピー、１３３は画像ファイル、表示、送受信機能等を備えたパーソナルコンピュータである。
【０００７】
デジタルコピー１３１、１３２及びパーソナルコンピュータ１３３は、ローカルネットワーク１３４によって接続され、制御データ、画像データの授受をローカルネットワーク１３４を介して実行する。図１３には２台のデジタルコピーと１台のパーソナルコンピュータを例示したが、このシステム構成に限るものではなく、デジタルコピー及びパーソナルコンピュータの台数やネットワーク形態は適宜設定されるものである。
【０００８】
図１に図１３のデジタルコピー１３１、１３２の概略ブロック図を示す。
【０００９】
１０１は原稿を読み取るためのＣＣＤ（ＣｈａｒｇｅＣｕｐｌｅｄＤｅｖｉｃｅ）であり読み取り主走査の１行分の数の受光素子を持つ（Ａ４２１０×４００／２５．４＝３３０７）。そして図示しない読み取り光学系により原稿の画像を１行単位で読み取り、図示しない副走査の機構系により１ページ分の画像を読み取る。
【００１０】
１０２はＡ／ＤコンバータでありＣＣＤ１０１からのアナログ出力をデジタルに変換する。また、ＣＰＵＩ／Ｏ１１８から入力されるシェーディングなどの補正値に従ってシェーディング補正処理を行い、補正されたデジタル多値の画像データを画素同期クロック、ライン同期信号、ページ信号などの同期信号と共に出力する。更に、ＣＰＵＩ／Ｏ１１８の指示に従って、スキャナ出力時の読み取り濃度を調整のために出力値を変え、また、走査クロックを変更し４００ｄｐｉ／２００ｄｐｉなどの解像度で出力する、これらのモード設定はＣＰＵ１１２から指示される。
【００１１】
１０３は画像処理部であり入力したデジタル多値画像データを、コピー時には必要に応じて画像データの縮小または拡大処理を行い多値データで出力し、一方、スキャナ時には単純２値化またはディザ、誤差拡散などの疑似中間調処理により２値化し、必要に応じて縮小または拡大処理を行い２値データで出力する。これらのモード設定はＣＰＵＩ／Ｏ１１８を介しＣＰＵ１１２から指示される。
【００１２】
スキャンラインバッファ１０４は主走査１行分の容量のメモリーを持ち、Ａ４サイズであれば２値では３３０７ｂｉｔ、多値では２６４５６ｂｉｔ（３３０７×８）分の記憶可能であり、プリンタ及びＣＰＵバス１１７との出力タイミング同期を得る。スキャンラインバッファ１０４からの画像データはコピー時にはプリントラインバッファ１０７に出力され、スキャナー出力時はＣＰＵバス１１７から画像コーデック１１４へ出力される。これらのモード設定はＣＰＵＩ／Ｏ１１８を介してＣＰＵ１１２から指示される。
【００１３】
１０５はＣＣＤ１０１、Ａ／Ｄコンバータ１０２、画像処理部１０３、スキャンラインバッファ１０４で構成されるテジタルスキャナーである。
【００１４】
操作パネル１０６はオペレータが操作する際に必要な文字、図形を表示する表示部およびキースイッチを持ちＣＰＵＩ／Ｏ１１８を介してＣＰＵ１１２と操作パラメータデータ等の授受を行う。また、操作パネル１０６の表示部には、ＲＡＭ１１３に書き込まれている後述するパーソナルコンピュータの通信レポートを表示する。
【００１５】
プリントラインバッファ１０７はプリント時の入力画像データを主走査１行分記憶可能なメモリで、スキャンラインバッファ１０４と同様な容量のメモリーで構成される。
【００１６】
画像処理部１０８はローカルネットワーク１１９から入力される２値画像データに対して単純多値化または面積補間などにより多値化を行い、更に、プリンタの印字濃度を最適にするために多値化した入力データに対しガンマ補正を行う。
【００１７】
Ｄ／Ａコンバータ１０９は入力されるデジタル多値データをアナログデータに変換し出力する。
【００１８】
レーザドライバ１１０は入力されるアナログデータに従ってレーザスキャンを行い、図示しない光学系及び周知の静電潜像プロセスによりプリント出力を得る。
【００１９】
１１１はプリントラインバッファ１０７、画像処理部１０８、Ｄ／Ａコンバータ１０９、レーザドライバ１１０で構成されるデジタルプリンタである。
【００２０】
ＣＰＵ１１２は本デジタルコピーの全体の制御を行うマイクロコンピュータ等からなるＣＰＵであり、タイマー、ＤＭＡＣなどを内蔵し、ＣＰＵバス１１７及びＣＰＵＩ／Ｏ１１８により各ユニットと接続される。
【００２１】
ＲＡＭ１１３はＣＰＵ１１２のプログラム処理時のワークデータ及び機器間で共通の符号方式により圧縮された１ページ分の画像データ及び属性情報などを読み書きする。また、他のパーソナルコンピュータから受信した後述する通信レポートが書き込まれ、その通信レポートは操作パネル１０６で表示される。
【００２２】
画像コーデック１１４は機器間で共通の符号方式により圧縮及び伸長を行うものであり、デジタルスキャナ１０５からの２値画像データを入力し機器間で共通の符号方式により圧縮し、ＲＡＭ１１３に１ページ分を蓄積する。また、ローカルネットワーク１１９から入力された外部画像データはＲＡＭ１１３に蓄積され、読み出された画像データは画像コーデック１１４によって伸長されてデジタルプリンタ１１１に出力される。
【００２３】
ＲＯＭ１１５はＣＰＵプログラムデータ及び必要なデータが蓄積されている。ローカルネットワークインターフェース１１６はローカルネットワーク１１９とのインターフェース及びネットワークプロトコルを実行し、パケット単位でのデータの通信を行い、また、アプリケーションレベルのデータ転送をＲＡＭ１１３との間でＤＭＡ転送によって実行する。
【００２４】
ＣＰＵバス１１７はＣＰＵ１１２のバス信号であり、アドレス、データ、制御信号、割り込み信号などで構成される。
【００２５】
ＣＰＵＩ／Ｏ１１８はＣＰＵ１１２のＩ／Ｏ制御用バスである。
【００２６】
ローカルネットワーク１１９は図１３のローカルネットワーク１３４に対応し、他のパーソナルコンピュータやデジタルコピーが接続されるネットワークである。
【００２７】
次に図１の構成によるデジタルコピーのコピー動作及びファクシミリ動作及び電子ファイル動作の概要を説明する。
【００２８】
図２はコピー動作に関るフローチャートである。
【００２９】
ステップ２０１では、操作パネル１０６からオペレータの操作により、指定された原稿サイズ、コピー倍率、コピー濃度が取込まれ、それに対応したＡ／Ｄコンバータ１０２からＤ／Ａコンバータ１０９までの各ユニットに必要なパラメータの指示を行う。
【００３０】
ステップ２０２では、原稿読み取りのためのスキャン動作を開始するようスキャナ１０５に指示される。ステップ２０３では印字開始指示をプリンタ１１１に指示する。
【００３１】
ステップ２０４ではＣＣＤ１０１からのライン同期信号のカウントによりページ終了を待つ。
【００３２】
ステップ２０５ではスキャナ１０５による画像読み取りの終了により各部の終了処理を行い、操作パネル１０６を待機状態に戻す。
【００３３】
図３はファクシミリ及び電子ファイルモードでの処理に関るフローチャートである。
【００３４】
ステップ３０１では操作パネル１０６からオペレータの操作により入力された、原稿サイズ、読み取り倍率、読み取り解像度が取り込まれ、それに対応したＡ／Ｄコンバータ１０２からＡ／Ｄコンバータ１０６までの各ユニットに必要なパラメータの指示を行う。
【００３５】
ステップ３０２では操作パネル１０６からオペレータの操作に従って、ファクシミリまたは電子ファイルまたは両者の各モードが選択され、さらに送信先電話番号またはファイル名称が指定される。
【００３６】
ステップ３０３では原稿読み取りのためのスキャン動作を開始するようスキャナ１０５が指示される。
【００３７】
ステップ３０４では画像コーデック１１４が起動され、スキャンラインバッファ１０４からの２値画像データを圧縮して、ＲＡＭ１１３に蓄積する。
【００３８】
ステップ３０５ではＣＣＤ１０１からのライン同期信号のカウントによりページ終了を待つ。１ページの読み取りが終了したならば、ステップ３０６で、前記ステップ３０２で指定された各モードにより分岐する。
【００３９】
即ち、ステップ３０７では前記ステップ３０１で指定された必要なパラメータおよびファクシミリの属性情報を、後述するローカルネットワークで通信するデータフォーマットでＲＡＭ１１３の指定エリアに書き込む。
【００４０】
ステップ３０８では前記ステップ３０１で指定された必要なパラメータ及びファクシミリ及び電子ファイルの属性情報を後述するローカルネットワークで通信するデータフォーマットでＲＡＭ１１３の指定エリアに書き込む。
【００４１】
ステップ３０９では前記ステップ３０１で指定された必要なパラメータ及び電子ファイルの属性情報を後述するローカルネットワークで通信するデータフォーマットでＲＡＭ１１３の指定エリアに書き込む。
【００４２】
ステップ３１０ではローカルネットワークインターフェース１１６に通信開始指示を行い、他のパーソナルコンピュータとの通信設定を行う。そして、ステップ３１１ではＲＡＭ１１３に書き込まれたデータフォーマット及び画像データを読み出しローカルネットワーク１１９に送信する。
【００４３】
１ページ分のデータが送信し終わると、ステップ３１２でローカルネットワークインターフェースに通信終了処理を行わせ、ローカルネットワーク１１９の通信を切断する。
【００４４】
ステップ３１３では送信すべき次のページがあるかを判断し、有ればステップ３０３に戻り次ページの読み取りを同様に開始する。一方、次ページが無い場合は、ステップ３１４で終了処理を行い、操作パネル１０６を待機状態に戻す。
【００４５】
図４に図１３のパーソナルコンピュータ１３３のブロック図を示す。
【００４６】
ＣＰＵ４０１はパーソナルコンピュータのＣＰＵであり、プログラムの処理を実行し、全体の制御を行う。
【００４７】
ＲＯＭ４０２にはＯＳプログラムや既定値のデータが記憶されている。また、ＲＡＭ４０３にはアプリケーションプログラムやワークデータが読み書きされ、ローカルネットワーク４１９を介した通信の際に画像データ及び属性情報を記憶する。
【００４８】
ＤＭＡＣ４０４はアプリケーション実行時のデータ転送をＣＰＵ４０１を介さずにＤＭＡ転送させることにより、メモリＩ／Ｏ、メモリとメモリの間のデータ転送を行うように制御される。
【００４９】
ＶＲＡＭ４０５は表示用のデータが１画面分またはそれ以上記憶され、そのデータはディスプレイ４０７のリフレッシュデータとして用いられる。ビデオインターフェース４０６はＶＲＡＭ４０５のデータを読み出し、ディスプレイ４０７とＮＴＳＣ信号でインターフェースを行う。ディスプレイ４０７はこのＮＴＳＣ信号を受け表示する。
【００５０】
ファクシミリコーデック４０８はＧ３ファクシミリの通信時に必要とされる符号方式（ＭＨ、ＭＲ、ＭＭＲ）を用いて画像データの圧縮及び伸長を行う。ファクシミリコーデック４０８は後述のビデオコーデック４１０と連動して動作し、ファクシミリ受信した画像の出力時はハードディスク４１４からファクシミリ画像データをページ単位で読み出し、ファクシミリコーデック４０８で伸長し、画像コーデック４１０で機器間で共通の符号方式により圧縮し、ＲＡＭ４０３に書き込む。また、図１のデジタルコピーからローカルネットワークを介して転送されたファクシミリ文書画像データをＲＡＭ４０３から読み出し、画像コーデック４１０で機器間で共通の符号方式により伸長し、ファクシミリコーデック４０８でファクシミリ符号に圧縮し、ハードディスク４１４に蓄積する。
【００５１】
Ｇ３ファクシミリモデム４０９はＧ３ファクシミリプロトコルを実行し、モデムを介して電話網（ＰＳＴＮ）４１８とのインターフェースを行って他の機器との通信を行う。つまり、送信及び受信時のデータ中の、プロトコルデータはＣＰＵ４０１で処理し、ファクシミリ画像データはハードディスクインターフェース４１３との間で転送する。
【００５２】
画像コーデック４１０はローカルネットワーク４１９上で通信される機器間で共通の符号方式により画像データを圧縮及び伸長する。ローカルネットワーク４１９を用いて他の機器に送信する場合は、画像データを圧縮し、ＲＡＭ４０３に書き込み、また、受信した場合はＲＡＭ４０３から圧縮画像データを読み出し、伸長動作を行う。
【００５３】
ハードディスクインターフェース４１３はＣＰＵバス４１７から転送されるデータをハードディスク４１４へ転送し蓄積する。
【００５４】
ハードディスク４１４は前記電子ファイルの文書データ、ファクシミリの文書データが読み書きされる、またファクシミリ、電子ファイルなどのアプリケーションプログラムデータなどが蓄積されておりシステムの立ち上げ時にＲＡＭ４０３にダウンロードされる。
【００５５】
キーボード４１５はオペレータが操作するためのキースイッチを持ち、所定のデータをＣＰＵ４０１に転送する。
【００５６】
ローカルネットワークインターフェース４１６はローカルネットワーク４１９のインターフェース及びネットワークプロトコルを実行し、パケット単位でのデータの通信を行い、ＲＡＭ４０３との間でデータのＤＭＡ転送を実行する。
【００５７】
ＣＰＵバス４１７はＣＰＵ４０１のシステムバスであり、アドレス、データ、制御信号、割り込み信号などで構成される。電話網（ＰＳＴＮ）４１８は公衆回線である。また、ローカルネットワーク４１９は図１３のローカルネットワーク１３４に対応し、他のパーソナルコンピュータやデジタルコピーと接続されるネットワークである。
【００５８】
次に上記構成のパーソナルコンピュータでの動作をフローチャートを用いて説明する。
【００５９】
図５はローカルネットワーク４１９を介してデジタルコピーからファクシミリまたは電子ファイル文書データを受信した場合である。
【００６０】
ステップ５０１では、ローカルネットワークインターフェース４１６にローカルネットワーク４１９からの受信があるとＣＰＵ４０１は割り込み動作を行い、ステップ５０２では、ＣＰＵ４０１は受信割り込み処理を行い、ローカルネットワークインターフェース４１６からＲＡＭ４０３にＤＭＡ転送が行われるようにＤＭＡＣ４０４を設定する。
【００６１】
ステップ５０３では、パケット単位で受信されたデータはローカルネットワークインターフェース４１６によりアプリケーションレベルのデータ単位でＲＡＭ４０３にＤＭＡ転送され、ステップ５０４で、ローカルネットワークでのページ単位の通信が終了するまで、そのＤＭＡ転送が繰り返し行われる。
【００６２】
ステップ５０５では、ＲＡＭ４０３の所定のアドレスにある属性情報を読む。
【００６３】
ステップ５０６では、属性情報によりファクシミリ文書であるか電子ファイルであるかを判断する。そしてステップ５０７では、ファクシミリである場合は、ＤＭＡＣ４０４を設定し、画像コーデック及びファクシミリコーデック４０８を起動し、ステップ５０８では、ＲＡＭ４０３に書かれた文書画像データをファクシミリ符号化されたデータに変換し、ハードディスク４１４に蓄積する。
【００６４】
一方、電子ファイルである場合は、ステップ５０９でＤＭＡＣ４０４を設定し、ステップ５１０では、ＲＡＭ４０３に書かれた文書画像データをハートディスクインターフェース４１３を介してハードディスク４１４に蓄積する。
【００６５】
図６に図４の実施例におけるＧ３ファクシミリモデム４０９を介したファクシミリ受信時の動作フローチャートを示し説明する。
【００６６】
ステップ６０１では、電話網（ＰＳＴＮ）４１８から着信があるとＧ３ファクシミリモデム４０９はファクシミリ受信プロトコルを実行し、ＣＰＵ４０１へ受信割り込みが入り、ＣＰＵ４０１はＧ３ファクシミリモデム４０９からハードディスクインターフェース４１３にＤＭＡ転送が行われるようにＤＭＡＣ４０４を設定する。
【００６７】
ステップ６０２では、ファクシミリ画像データをページ単位でハードディスク４１４に蓄積する。そしてステップ６０３で、１通信の受信が全て終了するまで前記ハードディスク４１４への蓄積を繰り返す。
【００６８】
ステップ６０４では、受信が終了するとＧ３ファクシミリモデム４０９はファクシミリ動作の終了処理を行いＣＰＵ４０１に通知する。ここにおいては、ファクシミリ受信文書は親展など蓄積の必要な文書以外は即時出力するため、ステップ６０５では、ファクシミリコーデック４０８および画像コーデック４１０を起動し、ステップ６０６で、ハードディスク４１４から受信文書を読み出しファクシミリ画像データを画像データに変換し、ＲＡＭ４０３の所定エリアに書き込む。
【００６９】
ステップ６０７では、１ページ分の標準データがＲＡＭ４０３に書き込み終了した時点で、ＲＡＭ４０３の所定エリアにファクシミリ受信時の属性情報を書き込む。
【００７０】
ステップ６０８では、ローカルネットワークインターフェース４１６に送信先デジタルコピーとの通信を開始するよう指示する。
【００７１】
ステップ６０９では、ローカルネットワークインターフェース４１６によって４０３ＲＡＭ上に書き込まれた所定エリアからローカルネットワーク通信のパケット単位でデータを読み出し、ローカルネットワーク４１９を介して送信先デジタルコピーに送信する。
【００７２】
ステップ６１０では、送信先デジタルコピーは受信した１ページ分の文書処理が終了するまでローカルネットワークを介して次の文書受付を拒否する。
【００７３】
ステップ６１１では、ファクシミリの１受信分の文書が終了したかを判断し、全ての文書送信が終了した時点で、ステップ６１２において、ローカルネットワークインターフェース４１６はローカルネットワーク４１９の終了処理を行い終了する。
【００７４】
図７に図４のパーソナルコンピュータにおける電子ファイルの文書出力動作のフローチャートを示す。
【００７５】
ステップ７０１では、オペレータの指示に従って、該パーソナルコンピュータの電子ファイル検索ソフトによりプリントアウトしたい文書が検索される。
【００７６】
ステップ７０２では、ＤＭＡＣ４０４を設定しハードディスクインターフェース４１３を介してハードディスク４１４からＲＡＭ４０３へＤＭＡ転送を行うようにする。そして、ステップ７０３で、ハードディスク４１４から該当する電子ファイル文書を読み出しＲＡＭ４０３に書き込む。
【００７７】
ステップ７０４では、１ページ分の文書データがＲＡＭ４０３に書き込み終了した時点で、ＲＡＭ４０３の所定エリアに該当する電子ファイル文書の属性情報を書き込む。
【００７８】
ステップ７０５では、ローカルネットワークインターフェース４１６に送信先デジタルコピーとの通信を開始するよう指示する。
【００７９】
ステップ７０６では、ローカルネットワークインターフェース４１６によってＲＡＭ４０３上に書き込まれた所定エリアから通信のパケット単位でデータを読み出しローカルネットワーク４１９を介して送信先デジタルコピーに送信する。
【００８０】
ステップ７０７では、送信先デジタルコピーは受信した１ページ分の文書処理が終了するまでローカルネットワークを介して次の文書受付を拒否する。
【００８１】
ステップ７０８では、電子ファイルの該当する文書が全て終了したかを判断し、ステップ７０９で、全て終了した時点でローカルネットワークインターフェース４１６はローカルネットワークの終了処理を行い終了する。
【００８２】
次に図８に図４のパーソナルコンピュータから図１のデジタルコピーに通信レポートを送信するためのフローチャートを示す。本ルーチンはデジタルコピーからの画像データ受信終了時、または、デジタルコピーへの画像データ送信時に起動される。
【００８３】
ステップ８０１では、送信するレポートの種別を判断する。受信終了時のレポートの場合、ステップ８０２で、デジタルコピーからの画像データ受信終了を表すレポートをＲＡＭ４０３の所定エリアに書き込む。一方、画像データ送信時のレポートの場合、ステップ８０３で、デジタルコピーへの画像データ送信開始を表すレポートをＲＡＭ４０３の所定エリアに書き込む。
【００８４】
ステップ８０４では、通信レポートを示す属性情報をＲＡＭ４０３の所定エリアに書き込む。
【００８５】
ステップ８０５では、ローカルネットワークインターフェース４１６に送信先デジタルコピーとの通信を開始するよう指示する。
【００８６】
ステップ８０６では、ローカルネットワークインターフェース４１６によってＲＡＭ４０３上に書き込まれた所定エリアから通信のパケット単位でデータを読み出し、ローカルネットワーク４１９を介して送信先デジタルコピーに送信する。
【００８７】
ステップ８０７では、ローカルネットワークインターフェース４１６はローカルネットワークの終了処理を行い終了する。
【００８８】
図９にローカルネットワークを介して各機器の間で転送されるデータフォーマット構成を示す説明する。
【００８９】
各データはバイトまたは複数バイトで構成される。スキャナーローカルネットワークアドレスは、送信元のスキャナーのローカルネットワークアドレスを示す。ファクシミリ／電子ファイルは、どちらかまたは両者の処理を要求する。送信先電話番号は、ファクシミリモードでの電話網の電話番号を示す。ファイル名称は、電子ファイルモードでの格納時のファイル名称を示す。原稿ページ番号は、現在のページ番号を示す。読み取り画像情報は、読み取り時のスキャナーの設定情報すなわち解像度、原稿サイズなどの情報を示す。画像データサイズは、送信する画像データのサイズを示す。画像データは、圧縮された画像データである。
【００９０】
図１０にパーソナルコンピュータからデジタルコピーにローカルネットワークを介して送信される画像データフォーマット構成を示し説明する。
【００９１】
各データはバイトまたは複数バイトで構成される。プリンターローカルネットワークアドレスは、送信先のデジタルコピーのプリンターに割り付けられたローカルネットワークアドレスを示す。印字画像情報は、印字画像データであること、出力用紙サイズ、解像度などを示す。画像データサイズは、送信する画像データのサイズを示す。画像データは、圧縮された画像データである。
【００９２】
次に、図１１にパーソナルコンピュータからデジタルコピーにローカルネットワークを介して送信される通信レポートのデータフォーマット構成を示し説明する。デジタルコピーでは、この通信レポートに従って操作パネル１０６にレポート表示を行う。
【００９３】
各データはバイトまたは複数バイトで構成される。コピーローカルネットワークアドレスは、送信先のデジタルコピーのプリンターに割り付けられたローカルネットワークアドレスを示す。通信レポートは、通信レポートデータであることを示す。レポートサイズは、送信する通信レポートのデータサイズを示す。通信レポートは、ＡＳＣＩＩ、ＪＩＳなどのコードで表す通信レポートである。
【００９４】
図１２に本デジタルコピーの操作パネル１０６上で表示される通信レポートの一例の形態を示す。
【００９５】
（ａ）はデジタルコピーからパーソナルコンピュータへの画像データ送信終了時のレポート表示を示す。即ち、画像データの受信終了を示す旨の表示と画像データの発信先であるパーソナルコンピュータのローカルネットワークアドレスが表示される。
【００９６】
（ｂ）はデジタルコピーへの画像データ送信時のレポート表示を示す。即ち、画像の出力中である旨の表示と画像データの送信元であるパーソナルコンピュータのローカルネットワークアドレスが表示される。
【００９７】
この様にして、ローカルネットワークで接続されたパーソナルコンピュータの受信又は記録動作に関る状況をデジタルコピー側で認識することができる。また、通信レポートはこれらに限らず、画像データの送受信に関るエラー状態や画像処理日時等の種々のデータを表示する。
【００９８】
（他の実施例）
図１及び図４において画像コーデック１１４及び４１０によりローカルネットワーク上で通信される機器間で共通の符号方式を生成しているが、ファクシミリコーデックを用いて機器間で共通の符号方式とすることでも実現できる。
【００９９】
また、図４においてＧ３ファクシミリモデム４０９及びＰＳＴＮ４１８をＩＳＤＮ対応の回線制御ユニットを用いることもできる。
【０１００】
また、図４においてハードディスク４１４を光磁気ディスクを用いることもできる。
【０１０１】
以上説明した実施例構成によれば、原稿を読み取り画像データを出力するデジタルスキャナー、その出力及び画像データを印字出力するデジタルプリンタ、オペレータが操作する操作パネル、及びローカルネットワークインターフェースを持つデジタルコピー、更に、ローカルネットワークでデジタルコピーとインターフェースされ、公衆網インターフェースとファクシミリ通信機能を持ち、更に、電子ファイル機能を持つパソコンなどのホスト機器からなる画像処理システムにおいて、デジタルコピーでオペレータが操作パネルによりファクシミリ送信を選択した場合、セットされた原稿をページ単位で読み取り、読み取った画像データを圧縮し、ファクシミリ送信または電子ファイルであること、または両者であることを示す属性情報をつけ、ページ単位でローカルネットワークを介してパソコンなどに送信する。また、この属性情報にはデジタルスキャナのローカルネットワークアドレス、ファクシミリモード、電子ファイルモード、送信先電話番号、原稿のページ番号、読み取り画像情報を含む。更に、パーソナルコトピュータはデジタルコピーから受信した属性情報に基づいて、デジタルコピーから受信した画像データをファクシミリ送信動作、またはファイリング、または両者を行う。そして、デジタルコピーからパーソナルコンピュータへのデータ送信終了時にパーソナルコンピュータからデジタルコピーへ終了レポートを送信しデジタルコピーの操作パネルに表示するようにし、更に、パーソナルコンピュータからデジタルコピーへ文書データを送信する際に通信レポートを送信しデジタルコピーの操作パネルに表示する。
【０１０２】
これにより、デジタルコピーによるコピー機能はもとより、パーソナルコンピュータを介したファクシミリ機能及び電子ファイル機能、パーソナルコンピュータからのプリントアウトの複合機能を実現でき、更に、ローカルネットワークに複数のデジタルコピー、パーソナルコンピュータを接続することにより事務システムを低コストで実現することができる。
【０１０３】
【発明の効果】
以上説明した様に、本発明によると画像読取装置にローカルネットワークを介して接続されている通信機能及びファイリング機能を有したデータ処理装置に画像データを電話回線を介して送信させること、そしてファイリングさせることが可能となり、画像読取装置自身が通信機能やファイリング機能を持たずにすむとともに、データ処理装置が有する機能をローカルネットワークに接続された画像読取装置から利用することができ事務システムを低コストで実現することができる。
【図面の簡単な説明】
【図１】本発明を適用したデジタルコピーの構成を示す図。
【図２】コピー動作の手順を示すフローチャート図。
【図３】ファクシミリ／電子ファイル動作の手順を示すフローチャート図。
【図４】本発明を適用したパーソナルコンピュータの構成を示す図。
【図５】ローカルネットワーク受信の手順を示すフローチャート図。
【図６】ファクシミリ受信の手順を示すフローチャート図。
【図７】電子ファイル出力の手順を示すフローチャート図。
【図８】通信レポート出力の手順を示すフローチャート図。
【図９】データフォーマットの構成を示す図。
【図１０】画像データのフォーマットの構成を示す図。
【図１１】通信レポートのデータフォーマットの構成を示す図。
【図１２】通信レポートの一例を示す図。
【図１３】画像処理システムの構成例を示す図。
【符号の説明】
１０１  ＣＣＤ
１０５  スキャナ
１０６  操作パネル
１１１  デジタルプリンタ
１１６  ローカルネットワークインターフェース
１１９  ローカルネットワーク
【図１】
0003554316.tif 000002
【図２】
0003554316.tif 000003
【図３】
0003554316.tif 000004
【図４】
0003554316.tif 000005
【図５】
0003554316.tif 000006
【図６】
0003554316.tif 000007
【図７】
0003554316.tif 000008
【図８】
0003554316.tif 000009
【図９】
0003554316.tif 000010
【図１０】
0003554316.tif 000011
【図１１】
0003554316.tif 000012
【図１２】
0003554316.tif 000013
【図１３】
0003554316.tif 000014